(57)【特許請求の範囲】
【請求項１】
輝度の相対比がそれぞれ異なる複数のサブフィールドにより１フィールドを構成し、上記サブフィールドの組合せにより中間調画像を表示するディスプレイ装置の駆動方法において、
上記中間調画像は、
入力映像信号の信号レベルが小さい領域では、当該入力映像信号の振幅を第１の所定の増幅率により増幅し、上記入力映像信号レベルが大きい領域では、上記入力映像信号に第１の所定のオフセット量を付加する第１の変換処理を行った信号に基づく第１の画像と、
上記入力映像信号の信号レベルが小さい領域では、上記入力映像信号の振幅を上記第１の所定の増幅率とは異なる第２の所定の増幅率により増幅し、上記入力映像信号レベルが大きい領域では、上記入力映像信号に上記第１の所定のオフセット量とは異なる第２の所定のオフセット量を付加する第２の変換処理を行った信号に基づく第２の画像とにより構成され、
上記第１の画像を構成する画素は、
垂直方向において上記第２の画像を構成する画素と隣接し、
水平方向において当該第２の画像を構成する画素とｎ画素ごと（ｎは１以上の整数）に交互に配列される
ことを特徴とするディスプレイ装置の駆動方法。
【請求項２】
各画素における画像を構成するために用いられる信号は、
上記入力映像信号に第１の変換処理を行った信号と、
上記入力映像信号に第２の変換処理を行った信号とが
上記画素についてフィールド毎に入れ替わること
を特徴とする請求項１に記載のディスプレイ装置の駆動方法。
【請求項３】
上記第１の変換処理において上記第１の所定のオフセットを付加することにより得られる信号及び、上記第２の変換処理において上記第２の所定のオフセットを付加することにより得られる信号が、異なるオフセット量をもつ複数種類のオフセット信号群から選択される２種類のオフセット量をそれぞれ付加した信号であり、
上記第１の変換処理において上記第１の所定の増幅率により増幅することにより得られる信号、及び上記第２の変換処理において上記第２の所定の増幅率により増幅することにより得られる信号が、異なる増幅率をもつ複数種類の増幅率信号群から選択される２種類の増幅率によりそれぞれ振幅を増幅した信号であること
を特徴とする請求項１または２に記載のディスプレイ装置の駆動方法。
【請求項４】
輝度の相対比がそれぞれ異なる複数のサブフィールドにより１フィールドを構成し、上記サブフィールドの組合せにより中間調画像を表示するディスプレイ装置において、
上記中間調画像は、
入力映像信号の信号レベルが小さい領域では、上記入力映像信号の振幅を第１の所定の増幅率により増幅し、上記入力映像信号レベルが大きい領域では、上記入力映像信号に第１の所定のオフセット量を付加する第１の変換処理を行った信号に基づく第１の画像と、
上記入力映像信号の信号レベルが小さい領域では、上記入力映像信号の振幅を上記第１の所定の増幅率とは異なる第２の所定の増幅率により増幅し、上記入力映像信号レベルが大きい領域では、上記入力映像信号に上記第１の所定のオフセット量とは異なる第２の所定のオフセット量を付加する第２の変換処理を行った信号に基づく第２の画像とにより構成され、
上記第１の画像を構成する画素は、
垂直方向において上記第２の画像を構成する画素と隣接し、
水平方向において当該第２の画像を構成する画素とｎ画素ごと（ｎは１以上の整数）に交互に配列されることを特徴とするディスプレイ装置。
【請求項５】
各画素における画像を構成するために用いられる信号は、
上記入力映像信号に第１の変換処理を行った信号と、
上記入力映像信号に第２の変換処理を行った信号とが
上記画素についてフィールド毎に入れ替わること
を特徴とする請求項４に記載のディスプレイ装置。
【請求項６】
上記入力映像信号に第１の変換処理を行った信号は、
変換特性の異なる複数の変換テーブルから選択された第１の変換テーブルに基づき変換処理が行われた信号であり、
上記入力映像信号に第２の変換処理を行った信号は、
上記複数の変換テーブルから選択される第２の変換テーブルに基づき変換処理が行われた信号であること
を特徴とする請求項４または５に記載のディスプレイ装置。
【請求項７】
変換特性の異なる複数の変換テーブルから選択された第１、及び第２の変換テーブルの変換特性が、
当該第１の変換テーブルに基づき変換処理が行われた信号と、上記第２の変換テーブルに基づき変換処理が行われた信号とにより視覚上認識される平均レベルの信号の階調数を、当該平均レベルの信号に対応する入力映像信号の階調数より増加させるものであること
を特徴とする請求項６に記載のディスプレイ装置。
【請求項８】
変換特性の異なる複数の変換テーブルから選択された第１、及び第２の変換テーブルの変換特性は、
当該第１の変換テーブルに基づき変換処理が行われた信号の信号変換レベルの変化点と、上記第２の変換テーブルに基づき変換処理が行われた信号の信号変換レベルの変化点とを異なるように設定されたものであること
を特徴とする請求項６又は７に記載のディスプレイ装置。
【発明の詳細な説明】
【０００１】
【発明の属する技術分野】
この発明は、ディスプレイ装置の中間調画像表示方法に係わるものであり、より詳しくは映像信号をＡ／Ｄ変換し、得られたディジタル信号を時間幅、またはパルス幅変調し、発光・非発光の制御によって中間調、または階調表示をおこなう、例えばプラズマディスプレイ装置（以下、「ＰＤＰ」と記す）や液晶等のマトリクス型のディスプレイ装置に関する。
【０００２】
【従来の技術】
従来、発光・非発光の二値によって画像を表示するマトリクス型のディスプレイ装置において、中間調の画像を表現する方法として、例えばＰＤＰについてあげれば、文献「ＡＣ形プラズマディスプレイによる中間調動画表示」（電子通信学会画像工学研究会資料ＩＴ７２−４５、加治、他、１９７３−０３）等の方法がある。この方法は、従来のＣＲＴに代表されるディスプレイ装置と同等の階調表現が可能であり、ＰＤＰにＮＴＳＣ等の自然画を表示する方法として、用いられることがある。
【０００３】
図１６は従来のマトリクス型ディスプレイ装置、例えばＰＤＰの中間調映像の表示の原理を示す図であり、ディスプレイ装置の各画素における発光のタイミングを示している。
一般に、映像信号をディジタル信号処理する場合には６乃至８ビット以上で量子化するが、この図では簡単のため４ビットで量子化し、１６階調を表示するときのタイミングを示す。
図において、１はＰＤＰパネルに書込をおこなうアドレッシング期間、２、３、４、５はそれぞれ２0＝１、２1＝２、２2＝４、２4＝８の時間荷重により重み付けされた発光期間を示している。１に示すアドレッシング期間は次に続く２、３、４、５の発光期間に選択した画素を光らすか光らさないかを全画面の画素に対して選択、切替をするための期間であり、この期間における発光は行われないとする。これら１から５を含むシーケンスは１フィールド（１Ｆ）単位ごと順次繰り返されており、各画素で表示する１６階調レベルは、この２進で重み付けした発光期間２、３、４、５を組み合わせることによって、１フィールド内に発光する発光量を制御し表現する。また、各フィールドごとに全ての画素の階調をコントロールし、動画に対応した中間調の階調表現を可能としているわけである。このように、ＰＤＰ等のディスプレイ装置は、１フィールドの映像信号を輝度の相対比がそれぞれ異なる複数のサブフィールドに分割し、画素ごとにこれらサブフィールドの発光、非発光を制御することで中間調の階調表示を行なっている。
【０００４】
【発明が解決しようとする課題】
従来のＰＤＰに代表される二値発光素子を使用したディスプレイ装置は、以上のように構成されていたので、以下に説明するような問題点があった。
図１７は、図１６で示したシーケンスに基づき、階調”７”から階調”８”に変化したときの１画素の発光のパターンを示している。この場合、階調”７”では、７＝（０１１１）2より、発光期間２、３、４のみが発光し、階調”８”では８＝（１０００）2より、発光期間５のみが発光する。
【０００５】
ここで、一般的な人間の視覚の特性を考えた場合、文献「視覚情報処理」（朝倉書店  田崎京二他著）などによれば、「明るさ感覚における時間的加重効果」があげられる。この効果は、Ｆｅｒｒｙ−Ｐｏｒｔｅｒ則としても知られ、臨界ちらつき頻度（ＣＦＦ、Ｃｒｉｔｉｃａｌ  ｆｌｉｃｋｅｒ  ｆｒｅｑｕｅｎｃｙ）以上の頻度では点滅する光がちらついて感じられず、連続光のように感じられることを示している。また、ちらつきの周波数は、輝度によって変化するが、５〜２０Ｈｚで感度が最高となり、その前後の周波数では感度が徐々に低下するため、一般的なＮＴＳＣ等のテレビジョン信号のフィールド周波数（約６０Ｈｚ）での明るさのちらつきはほとんど検知されないことがわかる。（以降、この効果のことを視覚特性の「時間的な積分効果」とよぶ。）
【０００６】
したがって、図１７のようなパターンでＰＤＰパネルの全画素が同時に階調変化した場合は、階調”７”、および階調”８”の発光領域とも、上記の人間の視覚特性の時間的な積分効果によって、フィールド周波数内で変動する発光・非発光の成分が積分、平均化され、平滑に階調”７”から”８”へ移行したように見える。
【０００７】
ところが、画面上で各画素の変化が異なるパターン、すなわち動画像として、上記の変化を表示、観察した場合、以下の現象となる。
例えば、画面を垂直方向に二分する（左側の画面が階調”８”で、右側の画面が階調”７”）パターンが、時間とともに画面左から右へ移動した場合、画面上の発光のパターンは図１８に示す模式図で表すことができる。ここで、水平軸は水平方向の画素配列を示し、１画素単位で構成されている。垂直軸は時間軸であり、下方に時間が経過しており、この平面上に現れる発光のパターンは、図１７に示したパターンを時計回りに９０度回転させ、階調の切り替わるタイミングを１画素ごとに時間方向に１フィールドづつずらして描いている。図中、６の網掛けで示した部分が発光期間、７の白抜きの部分が非発光期間を表わしている。図中に表すように、階調”７”と階調”８”の切り替わり部分が、左から右に移動している。
この図では、水平方向に１ライン分のみの信号変化を表わしているが、垂直方向に変化していない信号であるとすれば、全ライン同じタイミングで図１８の発光パターンが発生する。
このようなパターンを表示すると、人間の目は、この発光パターンの切り替わり部分を追視するため、あたかも発光パターンを斜めから観察したように見えることになる。この結果、図１８の斜め右下の明るさの知覚量特性８で表わされる明るさとして知覚される。すると、発光のパターンを斜めから観察したことによって、階調”７”と階調”８”の間にある発光の隙間９が時間方向に変化しない固定のパターンとして検出され、黒い（発光しない）帯状の妨害として検知される。また、上記の階調変化を階調”８”から階調”７”の逆のパターンに変えたり、上記の階調変化のまま動画の動く方向を右から左へ変えた場合は、上記妨害は、発光の集中として発生し、輝度の高い（白、もしくは色付いた）帯状の妨害となる。この現象が動画像表示時特有の妨害で、偽輪郭として知られている。
この妨害は、上の例のように階調”７”から”８”の変化ばかりではなく、二進表示の桁上がり、もしくは桁下がりにおいて、程度の差こそあれ、すべての場合について発生する。
【０００８】
また、上記の図１６で説明したとおり、表示する階調数は、アドレッシング期間と時間荷重により重みづけされた発光期間とを組み合わせた期間の数で決定するため、デバイスの駆動スピードに制約があるＰＤＰ等においては、ＮＴＳＣなどの映像信号を表示する際、与えられたフィールド期間（約１６．７ｍｓ）に組み込める表示階調数に制限を受け、特に人間の視覚特性上、レベル変化に敏感な黒側において、階調性が不十分であるという問題点があった。
【０００９】
この発明は以上のような問題点を解決するためになされたもので、第１の目的は、発光・非発光の二値によって画像を表示するマトリクス型のディスプレイ装置に動画像を表示した場合に検知される偽輪郭を軽減することを目的とする。
また、第２の目的は、駆動する階調数が少ない場合であっても、信号の黒レベル付近の階調性能を向上させることを目的とするものである。
【００１０】
【課題を解決するための手段】
この発明に係るディスプレイ装置の駆動方法は、
輝度の相対比がそれぞれ異なる複数のサブフィールドにより１フィールドを構成し、上記サブフィールドの組合せにより中間調画像を表示するディスプレイ装置の駆動方法において、
上記中間調画像は、
入力映像信号の信号レベルが小さい領域では、上記入力映像信号の振幅を第１の所定の増幅率により増幅し、上記入力映像信号レベルが大きい領域では、上記入力映像信号に第１の所定のオフセット量を付加する第１の変換処理を行った信号に基づく第１の画像と、
上記入力映像信号の信号レベルが小さい領域では、上記入力映像信号の振幅を上記第１の所定の増幅率とは異なる第２の所定の増幅率により増幅し、上記入力映像信号レベルが大きい領域では、上記入力映像信号に上記第１の所定のオフセット量とは異なる第２の所定のオフセット量を付加する第２の変換処理を行った信号に基づく第２の画像とにより構成され、
上記第１の画像を構成する画素は、
垂直方向において上記第２の画像を構成する画素と隣接し、
水平方向において当該第２の画像を構成する画素とｎ画素ごと（ｎは１以上の整数）に交互に配列されることとしたものである。
【００１８】
【発明の実施の形態】
この発明におけるディスプレイ装置においては、ｎ画素ごと（ｎは１以上の整数）、かつラインごとに、その信号レベルが所定のオフセットあるいは振幅をもって変化する画素拡散信号、あるいは、ｎ画素ごと（ｎは１以上の整数）、かつラインごと、かつフィールドごとに、その信号レベルが所定のオフセットあるいは振幅をもって変化する画素拡散信号により表示を行なうようにしているので、画面上において連続的に階調レベルの桁上がりまたは桁下がりする画素を分離し、さらにずらすことができ、その結果、動画において発生する偽輪郭のレベルを分散させ、オフセットまたは振幅変化した信号レベルとの平均化レベルで見えるように働く。
【００１９】
また、２種類の変換テーブルに関し、その平均レベルがあらかじめ入力信号に付加されている特性を補正する特性になるように設定しておくことによって、補正特性を兼ねるように働き、さらになだらかな変化の補正特性に対して、変換テーブルの二つの特性を加えた特性として働く。
【００２０】
さらにまた、上記２種類の変換テーブルに関し、その変換特性の切り替わり部分を異なるところに設定しているので、２種類の変換テーブルの合成特性は階調数が増加するように働く。
【００２１】
以下、この発明をその実施の形態を示す図面に基づいて具体的に説明する。
なお、以下の実施の形態の説明中、本発明にかかる表示の方法、またはその制御法を「画素拡散法」と称し、この発明にかかる制御するための切替信号を（画素）拡散制御信号、変換された映像信号を画素拡散信号と称することとする。
【００２２】
実施の形態１．
図１はこの発明の実施の形態１であるＰＤＰ装置のブロック図を示すもので、１０は水平同期信号ＨＤを入力とし、これに同期したクロック信号ＣＬＫを供給するクロック発生部、１１はクロック信号を１／（ｎ＋１）分周（ｎは１以上の整数）し、ｎ画素ごとに映像信号を切り替えるための切替信号と、それを反転し１８０度位相をずらした反転切替信号を生成するクロック分周回路、１２はＨＤ及び垂直同期信号ＶＤを入力とし、毎ＨＤで反転する拡散切替信号を発生する拡散切替信号発生部、１３はクロック分周回路１１から得られた互いに位相が１８０度異なる２種類の分周パルスを拡散切替信号によって選択し拡散制御信号ＤＳＷを発生する分周信号選択部、１４は入力の映像信号ＶＩＮにオフセット量を付加したオフセット映像信号ＶＯＦを得る映像信号レベル変換部、１５は、入力映像信号ＶＩＮと、オフセット映像信号ＶＯＦを、拡散制御信号ＤＳＷによって選択し、画素拡散信号ＶＤＳを生成する映像信号選択部、１６は画素拡散信号ＶＤＳをディジタル信号に変換するＡ／Ｄ変換部、１７はＡ／Ｄ変換された画素拡散信号にＰＤＰ駆動のための処理をおこなうディジタル信号処理部、１８はＰＤＰパネル１９を表示駆動するための各種制御信号や駆動信号を発生するＰＤＰ表示駆動部である。また、２０はクロック分周回路１１、拡散切替信号発生部１２、分周信号選択部１３で構成される拡散制御信号発生部である。
【００２３】
このように構成されたＰＤＰ装置の動作を以下説明をする。
図２は、図１の拡散制御信号発生部２０での垂直同期信号ＶＤ、水平同期信号ＨＤ、クロックＣＬＫと、任意のフィールドの拡散制御信号ＤＳＷのタイミングチャートを示している。ただしここでは、ＣＬＫはＨＤを偶数倍の分周比で分周した時の波形を示しており、ＤＳＷはクロック分周回路７の分周比を１／２分周としたときの（ｎ＝１のとき）波形を示している。
【００２４】
まず、図２（ｄ）に示す拡散制御信号ＤＳＷの波形について見た場合、このフィールドの第１ラインが正極性で開始するパルスであったとすると、次の第２ラインは負極性で開始するパルス、さらにその次の第３ラインは正極性で開始するパルスと、１ラインごとにその極性が反転する信号となり、この１ラインごと極性が反転する関係がそのフィールド内で連続的に保たれ、一画素ごと、かつラインごとの反転関係が継続されて、拡散制御信号ＤＳＷを形成している。
【００２５】
このときの映像信号選択部１５の入出力波形を図３に示す。入力映像信号ＶＩＮとオフセット映像信号ＶＯＦは拡散制御信号ＤＳＷにより１画素ごとに切り替えられた画素拡散信号ＶＤＳに変換される。
このように変調された画素拡散信号ＶＤＳを、Ａ／Ｄ変換部１６に入力しディジタル信号に変換した後、ディジタル信号処理部１７でＰＤＰパネル１９の駆動のための配列変換をおこない、これをＰＤＰ表示駆動部１８に入力しＰＤＰパネル１９の駆動信号に変換してＰＤＰパネル１９を表示する。
この結果、画面における水平、垂直方向に１画素ごとに互いに位相反転する信号が発光、表示される。
【００２６】
ここで、一般的な人間の視覚の特性を考えたとき、従来例で説明した「時間的な積分効果」のほかに、以下に示す空間的特性がある。文献「視覚情報処理」（朝倉書店  田崎京二他著）などによれば、明るさ知覚には、時間的加重のほかに空間的加重があり、刺激光の面積がある限界以内の場合は光覚閾を規定するのは輝度Ｌではなくむしろ輝度に刺激面積Ａを乗じたＬ×ＡであるとするＲｉｃｃｏの法則であって、例えば、小面積で２値の明るさを交互に発光した場合は、その輝度はそれらの平均値となることがわかる。また、人間の空間周波数特性（ＭＴＦ）は、帯域通過型から低域通過型特性であることも知られており、これらのことからも、小面積における発光・非発光の交互に配置されたパターンは、明るさが平均値でその発光の空間的パターンは検知されにくいことが分かる。（以降、この効果のことを視覚特性の「空間的な積分効果」とよぶ。）
【００２７】
したがって、映像信号選択部１５の出力画素拡散信号ＶＤＳは、その、画素間隔が小面積であれば、人間の視覚の空間的、時間的な積分効果により、切り替えられた二つの信号レベルが平均化されて認識される。
【００２８】
以上のような処理をした信号を動画像としてＰＤＰ装置にて表示したときの画像の見え方について、以下に説明する。
従来例において説明をしたとおり、動画像表示時の偽輪郭妨害は、画素の発光パターンの二進表示の桁上がり、もしくは桁下がりが発生する階調変化部分がある方向に動いた場合、人間の目がその桁上がりまたは桁下がり部分（輝度変化部分）を追視し、その部分の発光のパターンの変化における発光の隙間や集中が知覚される妨害である。
そこで、隣り合う画素同士において、階調の桁上がりまたは桁下がりのタイミングをずらせば、視覚の空間的積分効果によって、この妨害の知覚レベルを軽減することが期待できる。
【００２９】
この実施の形態の説明においては、簡単のためオフセット量を”＋１”とした。したがって、従来の階調”７”の発光領域については、７＝（０１１１）2と（１０００）2を、従来階調”８”の発光領域については、８＝（１０００）2と（１００１）2を１画素ごと、かつラインごとに切替表示しているものとする。
【００３０】
図４は本発明「画素拡散法」における発光のパターンを示しており、水平軸は水平方向の画素配列を示し、１画素単位で構成されている。垂直軸は時間軸であり、下方に時間が経過している。ここで、上下に隣り合う画素間隔が非常に小さく、それら画素同士の信号はそれぞれオフセットがかかった信号であるとすると、上記の視覚の空間的積分効果により、各画素の発光パターンは上下方向に発光するパターン、すなわち、隣り合うオフセットのかかった二つの信号を平均化してみることができる。
【００３１】
ここで、この平面上に現れる画素拡散された発光のパターンを以下３つの発光レベルに分ける。２１の網掛けで示した領域は、拡散制御信号ＤＳＷの両極性とも発光する全発光期間、２２の斜線で示した領域は、拡散制御信号ＤＳＷにより片方の極性でのみ発光する片発光期間、２３の白抜きで示した領域は非発光期間とすれば、ここでの明るさの知覚量は、２１の全発光期間を１とした場合、２２の片発光期間は０．５、２３の非発光期間は０の係数を乗して考えられる。
この結果、明るさの知覚特性２４に示すように、本来、階調”７”から階調”８”の桁繰り上がり時に発生していた発光の隙間９は、オフセットした信号の片発光期間によって、軽減されている。
【００３２】
なお、上記実施形態１では、映像信号レベル変換部１４で発生する変換信号ＶＯＦを１種類に限定し、入力映像信号ＶＩＮと変換信号ＶＯＦを一画素ごとに交互に切り替える構成とした例を挙げたが、上記の効果は信号のオフセット量によって、また表示する画素スピード等によっても、軽減効果の度合いが変わるため、映像信号レベル変換部１４にて複数種類のオフセット映像信号群を生成し、このオフセット信号群と入力信号を含めた中から最適な２種類の変換信号を、表示する映像信号の種類、例えば、静止画や動画等に応じて選択的に切替るように設計してもよい。
【００３３】
また、映像信号レベル変換部１４で発生させる変換信号は、入力映像信号のオフセットレベルを変えたものではなく、その信号振幅（ゲイン）を拡散制御信号ＤＳＷのタイミングに応じて制御したものであっても、本実施の形態にて述べた原理から明らかなように、同等の効果を得ることができる。
【００３４】
さらに、入力する映像信号の周波数帯域に比べて、表示するパネルの画素ピッチが細かい場合は、画素拡散信号の分周比を大きくし、２画素あるいはそれ以上のｎ画素の分周比で装置を構成しても同様の効果を得ることができる。
【００３５】
実施の形態２．
上記実施の形態１では、表示画面の一画素ごと、かつラインごとにその極性が反転する切替信号によってオフセットの重畳がされた拡散制御信号ＤＳＷを形成した例を示したが、本実施の形態においては、さらに、時間方向、すなわち、フィールド間においても極性が反転する切替信号により拡散制御信号ＤＳＷを形成するものである。
これは、表示画面の一画素、ラインごとにのみ切り替えるものでは、ＰＤＰパネルの画素ピッチが小さい中・小画面においては空間的な積分効果のみで画素拡散された空間的パターンが平均化され、十分な偽輪郭低減効果が得られるものの、画面を大型化し、視聴者が画素ピッチをある程度以上認識できるような場合には、空間的な積分効果のみでは不十分になる。従って、本実施の形態では、画素拡散された空間パターンが検知される場合、さらに画素ごとの時間的な積分効果を加えることで一層の偽輪郭低減を達成している。
【００３６】
図５は、本実施の形態における垂直同期信号ＶＤ、水平同期信号ＨＤ、クロックＣＬＫと、任意のＭフィールド目（Ｍは正の整数）の拡散制御信号ＤＳＷとその次の（Ｍ＋１）フィールド目の拡散制御信号ＤＳＷのタイミングチャートを示す図であり、その他の装置の概略構成は実施の形態１で説明した図１と同様である。
また、本実施の形態においても、ＣＬＫはＨＤを偶数倍の分周比で分周した時の波形を示しており、二つのＤＳＷはクロック分周回路７の分周比を１／２分周としたときの（ｎ＝１のとき）波形を示している。
【００３７】
まず、図５（ｄ）で示す第Ｍフィールドにおける拡散制御信号ＤＳＷの波形について見た場合、このフィールドの第１ラインが正極性で開始するパルスであったとすると、次の第２ラインは負極性で開始するパルス、さらにその次の第３ラインは正極性で開始するパルスと、１ラインごとにその極性が反転する信号となり、この１ラインごと極性が反転する関係がそのフィールド内で連続的に保たれている。
【００３８】
次に、図５（ｅ）第（Ｍ＋１）フィールドにおける拡散制御信号ＤＳＷの波形を見た場合、この信号の第１ラインは前第Ｍフィールドのときと逆極性の負極性で開始するパルスであり、次の第２ラインは正極性で開始するパルス、さらにその次の第３ラインは負極性で開始するパルスの信号となり、第Ｍフィールドでの信号を反転した極性の信号がこのフィールド内で連続的に保たれている。
この拡散制御信号ＤＳＷの第Ｍフィールドと第（Ｍ＋１）フィールドにおける信号極性の関係は、その後、保ち続けられ、一画素ごと、かつラインごと、かつフィールドごとの反転関係が継続されて、拡散制御信号ＤＳＷを形成している。この拡散制御信号を用いた装置の動作は、実施の形態１と同様であるので説明は省略する。
【００３９】
実施の形態３．
上記実施の形態１あるいは２では、まず映像信号レベル変換部１４にて変換信号ＶＯＦを得た後、映像信号選択部１５によって入力映像信号ＶＩＮと変換信号ＶＯＦを拡散制御信号ＤＳＷごとに交互に切り替える構成としたが、図６で示すように映像信号ＶＩＮのＤＣレベルを直接コントロール可能な信号オフセット制御部２５によって構成しても画素拡散信号ＶＤＳを得ることが可能で、同様の効果を得ることができる。
【００４０】
実施の形態４．
また、上記実施の形態１あるいは２においては、映像信号レベル変換部１４で発生させる変換信号について、オフセットレベルを変えるのではなく、その信号振幅（ゲイン）を変えた変換信号ＶＯＦの構成も示したが、図７で示すように映像信号のＶＩＮの信号振幅を直接コントロール可能な信号振幅コントロール部２６によって構成しても、画素拡散信号ＶＤＳを得ることが可能で、同様の効果を得ることができる。
【００４１】
実施の形態５．
図８は入力映像信号ＶＩＮをＡ／Ｄ変換後、信号レベル変換する実施の形態を示すもので、２７は入力信号がＡ／Ｄ変換器１６によってディジタル変換された後のディジタル映像信号ＶＩＤをレベル変換するための信号レベル変換部であり、拡散制御信号ＤＳＷによってその出力は２種類の信号レベルに拡散された画素拡散映像信号ＶＤＳに変換される。この結果、実施の形態１あるいは２で説明したと同様の効果により、動画を表示した時に発生する偽輪郭を軽減できる。
【００４２】
ここで、信号レベル変換部２７の構成例としては、メモリ装置等を用い、入出力変換テーブルを２種類内蔵すれば、容易に実現が可能である。
特に、入力する映像信号が標準的なテレビジョン信号等の場合、入力の映像信号にはＣＲＴ発光特性を補正するための逆γ特性がかけられているため、ＰＤＰや液晶などのディスプレイ装置に表示するときは、入力映像信号にγ変換をする必要があり、γ補正用信号レベル変換部をすでに搭載していることが多い。
本発明の信号レベル変換部２７は上記γ補正用信号レベル変換部と独立に構成してもよいが、上記γ補正用信号レベル変換部において、複数の特性テーブルをあらかじめ準備し、これを拡散信号発生部１５で発生した拡散信号ＤＳＷによって制御可能な構成とすることにより、新たに回路素子を追加することなく、本発明の効果を得ることが可能である。
【００４３】
図９は上記の入出力変換テーブルの一例を示すものである。図９においては、特性２８と特性２９が信号レベル変換部２７より得られる２種類の信号レベルをそれぞれ示しており、これらの平均レベル３０がすなわち、視覚上認識される特性となる。したがって、上記の例でいえば、γ補正用信号レベル変換特性が平均レベル３０となるよう、特性２８、２９を決定すればよい。この実施例の場合、、特性２８と２９の平均レベル３０に対する変化幅ΔＳは、入力レベルが小さい領域でリニアに増加し、入力レベルが中から大にかけての領域で一定値となるように構成した例である。
もちろん、ΔＳの変化量を固定値としたり、段階的に切り替えたり、これらを組みあわせても良い。
【００４４】
実施の形態６．
次に、図８で構成したＰＤＰ装置において、信号レベル変換部２７における変換テーブルの入力レベルが低い、つまり信号の黒レベル付近における特性を図１０のようにした例を示す。この場合、平均レベル３０に対する２種類の信号変換レベル２８、２９を図１０のように選べば、その平均値として視覚上認識されるレベル３０での階調数は、図１１に示した本発明をおこなわない場合の階調数３１に比べて、増加させることが可能であることを表わしている。
【００４５】
つまり本発明によれば、傾きの大きい特性２８と傾きの小さい特性２９が平均化された平均レベル３０が知覚されるため、その結果得られる階調数が二つの階調特性を加えた特性となるわけであり、変換レベルの傾きの大きい特性２８側の階調をより多くとるように特性を決定すれば、特に元々の階調変化がなだらかな信号の黒レベル付近において、階調数を増やす効果がある。
【００４６】
次に、図１２では、二つの信号変換レベルの平均レベル３０が、非常になだらかで、上記のように傾きが大きい方の変換レベル２８の傾きもあまり大きくできない場合の変換レベル２８、２９の与え方の例を示している。すなわち、図に示すとおり、２種類の信号変換レベル２８、２９の変化点をずらしてやることによって、二つの特性の平均化レベル３０の階調数を増加させることが可能である。図１３には、図１２の平均レベル３０の漸近線に沿うように本発明をおこなわない場合のレベル変換特性３１を示した。明らかに、図１２の本発明による平均化レベル３０の方が階調数が増加していることがわかる。
【００４７】
以上のように、２種類の信号変換レベルの変換特性を、それぞれ上に示すごとく与えることにより、本発明の実施の形態１あるいは２にて説明した偽輪郭を低減する効果に加えて、動作する階調数を増やすことなく、実際の階調数よりより多くの階調を再現することができる効果が期待できる。
【００４８】
実施の形態７．
図１４は前記実施の形態５において、信号レベル変換部２７にかえて信号オフセット制御部３２によって構成したものである。この場合は、信号オフセット制御部３２において拡散制御信号ＤＳＷのタイミングで入力信号のオフセット量をコントロールし、画素拡散信号ＶＤＳを直接得ることができ、上記と同様にして偽輪郭の低減効果を得ることができる。
【００４９】
実施の形態８．
また、図１５では、実施の形態５において、信号レベル変換部２７にかえて、信号振幅コントロール部３３を設けることによって構成したものである。この場合は、信号振幅コントロール部３３において拡散制御信号ＤＳＷのタイミングで入力信号の振幅をコントロールし、画素拡散信号ＶＤＳを直接得ることができ、上記と同様にして偽輪郭の低減効果を得ることができる。
【００５０】
ところで、上記説明では、この発明をＰＤＰ装置に利用する場合について述べたが、発光・非発光の二値によって画像を表示するその他のマトリクス型のディスプレイ装置にも利用できることはいうまでもない。
【００５１】
【発明の効果】
この発明は、以上説明したように構成されているので、以下に示すような効果を奏する。
【００５２】
この発明におけるディスプレイ装置の駆動方法は、輝度の相対比がそれぞれ異なる複数のサブフィールドにより１フィールドを構成し、上記サブフィールドの組合せにより中間調画像を表示するディスプレイ装置の駆動方法において、上記中間調画像は、入力映像信号の信号レベルが小さい領域では、上記入力映像信号の振幅を第１の所定の増幅率により増幅し、上記入力映像信号レベルが大きい領域では、上記入力映像信号に第１の所定のオフセット量を付加する第１の変換処理を行った信号に基づく第１の画像と、上記入力映像信号の信号レベルが小さい領域では、上記入力映像信号の振幅を上記第１の所定の増幅率とは異なる第２の所定の増幅率により増幅し、上記入力映像信号レベルが大きい領域では、上記入力映像信号に上記第１の所定のオフセット量とは異なる第２の所定のオフセット量を付加する第２の変換処理を行った信号に基づく第２の画像とにより構成され、上記第１の画像を構成する画素は、垂直方向において上記第２の画像を構成する画素と隣接し、水平方向において当該第２の画像を構成する画素とｎ画素ごと（ｎは１以上の整数）に交互に配列されることとしたので、動画において発生する偽輪郭のレベルを分散させ、オフセットあるいは振幅変化した信号レベルとの平均化レベルで見えるように働き、動画で発生する偽輪郭を軽減することができる。
【図面の簡単な説明】
【図１】  この発明の実施の形態１を示すＰＤＰ装置のブロック図である。
【図２】  この発明の実施の形態１の拡散性誤信号発生部の動作を説明する図である。
【図３】  この発明の実施の形態１の動作波形を示す図である。
【図４】  この発明の実施の形態１の動画の発光パターンを示す図である。
【図５】  この発明の実施の形態２の拡散性誤信号発生部の動作を説明する図である。
【図６】  この発明の実施の形態３を示すＰＤＰ装置のブロック図である。
【図７】  この発明の実施の形態４を示すＰＤＰ装置のブロック図である。
【図８】  この発明の実施の形態５を示すＰＤＰ装置のブロック図である。
【図９】  この発明の実施の形態５の信号レベル変換部に備えた変換テーブルの例を示す図である。
【図１０】  この発明の実施の形態６の効果の例を示す図である。
【図１１】  従来例における変換テーブルの例を示す図である。
【図１２】  この発明の実施の形態６の第２の効果の例を示す図である。
【図１３】  従来例における変換テーブルの第２の例を示す図である。
【図１４】  この発明の実施の形態７を示すＰＤＰ装置のブロック図である。
【図１５】  この発明の実施の形態８を示すＰＤＰ装置のブロック図である。
【図１６】  ＰＤＰの発光の中間調画像の表示の原理を示す図である。
【図１７】  ＰＤＰの画素の発光のパターンを示す図である。
【図１８】  従来の動画の発光パターンを示す図である。
【符号の説明】
１  アドレッシング期間、２  １の時間加重により重み付けされた発光期、３２の時間加重により重み付けされた発光期間、４  ４の時間加重により重み付けされた発光期間、５  ８の時間加重により重み付けされた発光期間、６  発光期間、７  非発光期間、８  明るさの知覚量特性、９  発光の隙間、１０  クロック発生部、１１  クロック分周回路、１２  拡散切替信号発生部、１３  分周信号選択部、１４  映像信号レベル変換部、１５  映像信号選択部、１６  Ａ／Ｄ変換部、１７  ディジタル信号処理部、１８  ＰＤＰ表示駆動部、１９  ＰＤＰパネル、２０  拡散制御信号発生部、２１  全発光期間、２２  片発光期間、２３  非発光期間、２４  明るさの知覚特性、２５  信号オフセット部、２６  信号振幅コントロール部、２７  信号レベル変換部、２８  傾きの大きい方の変換テーブル特性、２９  傾きの小さい方の変換テーブル特性、３０  平均レベルの変換テーブル特性、３１  本発明を実施しないときの変換テーブル特性
【図１】
0003712292.tif 000002
【図２】
0003712292.tif 000003
【図３】
0003712292.tif 000004
【図４】
0003712292.tif 000005
【図５】
0003712292.tif 000006
【図６】
0003712292.tif 000007
【図７】
0003712292.tif 000008
【図８】
0003712292.tif 000009
【図９】
0003712292.tif 000010
【図１０】
0003712292.tif 000011
【図１１】
0003712292.tif 000012
【図１２】
0003712292.tif 000013
【図１３】
0003712292.tif 000014
【図１４】
0003712292.tif 000015
【図１５】
0003712292.tif 000016
【図１６】
0003712292.tif 000017
【図１７】
0003712292.tif 000018
【図１８】
0003712292.tif 000019